(57)【要約】【課題】光学レンズ群を高精度に位置決めすることが可能でありながら、小型化及び低コスト化が可能なレンズ鏡筒及び撮像装置を提供すること。【解決手段】本技術に係るレンズ鏡筒は、第１の部材と、第２の部材と、光量調整機構と、弾性部材とを具備する。第２の部材は、光学レンズを支持し、当接部を有し、第１の部材に接近した第１の位置と、第１の部材から離間した第２の位置の間で移動可能である。光量調整機構は、開口部を有し、第２の部材が第１の位置に位置するときには、光学レンズが開口部内に位置する第３の位置に位置し、第２の部材が第２の位置に位置するときには、光学レンズが開口部内に位置しない第４の位置に位置する。弾性部材は、光量調整機構と第１の部材を接続し、光量調整機構と第１の部材を互いに接近させる方向に付勢し、光量調整機構が第４の位置に位置するときに、光量調整機構を当接部に対して押圧する。【選択図】図２
2015232584.tif 000002
【特許請求の範囲】
【請求項１】
第１の部材と、
光学系の一部を構成する第１の光学レンズを支持し、第１の当接部を有し、前記光学系の光軸方向において前記第１の部材に接近した第１の位置と、前記光軸方向において前記第１の部材から離間した第２の位置の間で前記光軸方向に移動可能である第２の部材と、
開口部を有し、前記第２の部材に前記光軸方向に移動可能に支持され、前記第２の部材が前記第１の位置に位置するときには、前記第１の当接部に当接せず、前記第１の光学レンズの少なくとも一部が前記開口部内に位置する第３の位置に位置し、前記第２の部材が前記第２の位置に位置するときには、前記第１の当接部に当接し、前記第１の光学レンズが前記開口部内に位置しない第４の位置に位置し、前記第４の位置に位置するときに、前記開口部に光量調整部材を挿入する光量調整機構と、
前記光量調整機構が前記第４の位置に位置するときに、前記光量調整機構を前記第１の当接部に対して押圧し、前記光量調整機構と前記第１の部材を接続し、前記光量調整機構と前記第１の部材を互いに接近させる方向に付勢する弾性部材と
を具備するレンズ鏡筒。
【請求項２】
請求項１に記載のレンズ鏡筒であって、
前記第２の部材が前記第１の位置に位置するときに前記光軸方向において前記第２の部材に接近し、前記第２の部材が前記第２の位置に位置するときに前記光軸方向において前記第２の部材から離間し、前記第１の部材と前記第２の部材の間に位置する第３の部材
をさらに具備するレンズ鏡筒。
【請求項３】
請求項１に記載のレンズ鏡筒であって、
第１のカム溝と第２のカム溝とを有するカム環
をさらに具備し、
前記第１の部材は前記第１のカム溝に係合する第１のカムフォロアを有し、
前記第２の部材は前記第２のカム溝に係合する第２のカムフォロアを有し、
前記カム環は、前記光軸方向を回転軸方向として回転し、前記第１の部材と前記第２の部材を前記光軸方向に相対移動させる
レンズ鏡筒。
【請求項４】
請求項１に記載のレンズ鏡筒であって、
前記第１の部材は、第２の当接部を有し、
前記光量調整機構は、前記第３の位置に位置するときには前記第２の当接部に当接し、前記第４の位置に位置するときには前記第２の当接部に当接しない
レンズ鏡筒。
【請求項５】
請求項１に記載のレンズ鏡筒であって、
前記第１の部材は、前記光学系の一部を構成する第２の光学レンズを支持する
レンズ鏡筒。
【請求項６】
請求項１に記載のレンズ鏡筒であって、
前記光量調整部材は、シャッタ、絞り又はＮＤフィルタである
レンズ鏡筒。
【請求項７】
第１の部材と、光学系の一部を構成する第１の光学レンズを支持し、第１の当接部を有し、前記光学系の光軸方向において前記第１の部材に接近した第１の位置と、前記光軸方向において前記第１の部材から離間した第２の位置の間で前記光軸方向に移動可能である第２の部材と、開口部を有し、前記第２の部材に前記光軸方向に移動可能に支持され、前記第２の部材が前記第１の位置に位置するときには、前記第１の当接部に当接せず、前記第１の光学レンズの少なくとも一部が前記開口部内に位置する第３の位置に位置し、前記第２の部材が前記第２の位置に位置するときには、前記第１の当接部に当接し、前記第１の光学レンズが前記開口部内に位置しない第４の位置に位置し、前記第４の位置に位置するときに、前記開口部に光量調整部材を挿入する光量調整機構と、前記光量調整機構が前記第４の位置に位置するときに、前記光量調整機構を前記第１の当接部に対して押圧し、前記光量調整機構と前記第１の部材を接続し、前記光量調整機構と前記第１の部材を互いに接近させる方向に付勢する弾性部材とを備えるレンズ鏡筒と、
前記光学系を通過した光から画像を生成する撮像機構と
を具備する撮像装置。
【発明の詳細な説明】
【技術分野】
【０００１】
本技術は、伸縮するレンズ鏡筒及び当該レンズ鏡筒を備える撮像装置に関する。
【背景技術】
【０００２】
伸縮可能なレンズ鏡筒は、撮影時には伸張することによって光学的機能を実現し、非撮影時には収縮することによって光軸方向の寸法を小さくし、可搬性を向上させることができる。具体的には、鏡筒内には複数の光学レンズ群が収容されており、非撮影時には光学レンズ群の間隔が接近し、撮影時には光学レンズ群の間隔が拡大するように構成されている。
【０００３】
非撮影時における光学レンズ群の間隔をより接近させることができれば、レンズ鏡筒のさらなる小型化が可能となる。レンズ鏡筒には光学レンズ群の他に、シャッタや絞り等の光量調整機構が設けられる。撮影時には、光量調整機構は光学レンズ群の間に絞り羽根や遮光羽根やＮＤ（Neutral Density）フィルタなどの光量調整部材を挿入可能にするため、光学レンズ群の相互の間隔は光量調整部材に干渉しないように適切な間隔を確保する必要がある。一方、非撮影時には、光量調整する必要が無く、光学レンズ群の間に光量調整部材を挿入する必要が無いため、光学レンズ群の間隔をより接近させることが可能となる。
【０００４】
例えば特許文献１及び２には、非撮影時に光量調整機構の開口部が開口し、開口部内に光学レンズ群の一部が収納されることにより、非撮影時の光学レンズ群の間隔を短縮し、
レンズ鏡筒の寸法を短縮することを可能としたレンズ鏡筒が開示されている。
【０００５】
一方で、伸縮するレンズ鏡筒では、上記のように光学レンズ群の間隔が変動するため、撮影時の光学レンズ群の位置精度が重要となる。光学レンズ群の位置精度が低ければ、所定の光学的性能を発揮させることができないためである。伸縮するレンズ鏡筒では、カム溝とカムフォロワの嵌合や、スクリュとナットの嵌合などによって光学レンズ群を保持する枠を移動させるが、嵌合部にはガタがあるため、光学レンズ群の位置精度が下がってしまう問題がある。この問題を解決する手段として、弾性部材により光学レンズを保持する部材を光軸方向に付勢することがある。例えば特許文献３には、非撮影時と撮影時の間で光量調整機構を移動させる弾性部材と、撮影時に光学レンズ群間を付勢し、光学レンズ群の位置精度を高める弾性部材が設けられている。
【先行技術文献】
【特許文献】
【０００６】
【特許文献１】特開２００３−６６３１１号公報
【特許文献２】特開２００４−３４７６１５号公報
【特許文献３】特開２００５−１８１６７６号公報
【発明の概要】
【発明が解決しようとする課題】
【０００７】
上記のように特許文献３の構成では、光量調整機構を移動させるための弾性部材と、光学レンズ群の位置精度を高めるための弾性部材がそれぞれ別個に必要である。このため、部品点数が増加し、レンズ鏡筒の製造コストの増加や製造工程の複雑化が問題となる。また、多数の弾性部材を配置するスペースが必要となりレンズ鏡筒の小型化も困難である。
【０００８】
以上のような事情に鑑み、本技術の目的は、光学レンズ群を高精度に位置決めすることが可能でありながら、小型化及び低コスト化が可能なレンズ鏡筒及び当該レンズ鏡筒を備える撮像装置を提供することにある。
【課題を解決するための手段】
【０００９】
上述の課題を解決するため、本技術の一形態に係るレンズ鏡筒は、第１の部材と、第２の部材と、光量調整機構と、弾性部材とを具備する。
上記第２の部材は、光学系の一部を構成する第１の光学レンズを支持し、第１の当接部を有し、上記光学系の光軸方向において上記第１の部材に接近した第１の位置と、上記光軸方向において上記第１の部材から離間した第２の位置の間で上記光軸方向に移動可能である。
上記光量調整機構は、開口部を有し、上記第２の部材に上記光軸方向に移動可能に支持され、上記第２の部材が上記第１の位置に位置するときには、上記第１の当接部に当接せず、上記第１の光学レンズの少なくとも一部が上記開口部内に位置する第３の位置に位置し、上記第２の部材が上記第２の位置に位置するときには、上記第１の当接部に当接し、上記第１の光学レンズが上記開口部内に位置しない第４の位置に位置し、上記第４の位置に位置するときに、上記開口部に光量調整部材を挿入可能になる。
【００１０】
この構成によれば、弾性部材は、第１の部材と光量調整機構を接続し、それぞれ接近する方向に付勢する。弾性部材は、第１の位置（レンズ鏡筒が収縮した状態、非撮影時）から、第２の位置（レンズ鏡筒が伸張した状態、撮影時）に移動する間に、光量調整機構を第３の位置から第４の位置に移動させる。第４の位置は、光量調整機構の開口部に第１の光学レンズが位置しない位置であり、第３の位置は、同開口部に第１の光学レンズの少なくとも一部が位置する位置である。光量調整機構は第４の位置においては開口部内に光量調整部材を挿入することが可能であり、第３の位置においては開口部内から光量調整部材を退避させた状態で、開口部に第１の光学レンズを収容している。光量調整機構の開口部に第１の光学レンズが収容されることにより、レンズ鏡筒の鏡筒長を短縮することができるため、弾性部材は、撮影に必要な第４の位置と収納に適した第３の位置の間で光量調整機構を移動させることができる。弾性部材は、光量調整機構を第２の部材から離間する方向に付勢しており、すなわち第４の位置から第３の位置に移動する方向に付勢している。したがって弾性部材は、撮影に適した第４の位置と収納に適した第３の位置の間で光量調整機構を移動させることができる。弾性部材は、光量調整機構が第４の位置に位置するときに、光量調整機構を第１の当接部に対して押圧することで、第２の部材は第１の当接部を介して第１の部材に対して接近する方向に付勢される。このため、撮影時において、光量調整機構及び第２の部材が第１の部材に対して正確に位置決めされ、第２の部材に支持された第１の光学レンズを含む光学系の光学的精度が確保される。即ち、弾性部材は、第２の部材に対して光量調整機構を移動させる機能と、光学系を位置決めする機能の二つの機能を兼ね備えており、換言すれば両機能のためにそれぞれ弾性部材を設ける必要がなく、レンズ鏡筒の小型化及び低コスト化が可能である。
【００１１】
上記第１の当接部は、上記第２の部材が上記第１の位置から上記第２の位置に移動する間で上記光量調整機構に当接する。上記第１の当接部は、上記光量調整機構が上記第３の位置から上記第４の位置に移動する間で上記光量調整機構に当接する。
【００１２】
上記第１の部材は、第２の当接部を有し、
第１の部材が第２の位置から第１の位置に移動するとき、
光量調整機構は、第２の当接部に当接して押圧されることで第４の位置から第３の位置に移動する。
【００１３】
上記レンズ鏡筒において、
第１の部材と光量調整装置の間に光軸方向に移動可能な第３の部材を具備し、上記第３の部材に第２の当接部が形成されてもよい。
このとき、第１の部材が第２の位置から第１の位置に移動するとき、
第３の部材は光量調整機構に接近する方向に移動し、光量調整機構は、第２の当接部に当接して押圧されることで第４の位置から第３の位置に移動する。
【００１４】
上記レンズ鏡筒は、第１のカム溝と第２のカム溝とを有するカム環をさらに具備し、
上記第１の部材は上記第１のカム溝に係合する第１のカムフォロアを有し、
上記第２の部材は上記第２のカム溝に係合する第２のカムフォロアを有し、
上記カム環は、上記光軸方向を回転軸方向として回転し、上記第１の部材と上記第２の部材を上記光軸方向に相対移動させてもよい。
【００１５】
この構成によれば、カム環が回転駆動されると、第２の部材が第１の位置と第２の位置の間で移動する。上記のように、本技術に係る弾性部材は、第２の部材が第２の位置に位置するときに、光量調整機構を介して第２の部材を第１の部材に対して押圧しており、カム溝とカムフォロアの係合のみによって第１の部材と第２の部材の相対位置が規定される場合に比べ、高精度に両者の相対位置を規定することが可能である。
【００１６】
この構成によれば、光量調整機構は、第３の位置に位置するときに第２の当接部に当接し、その位置が規制される。
【００１７】
上記第１の部材は、上記光学系の一部を構成する第２の光学レンズを支持してもよい。
【００１８】
上記のように、本技術によれば、第２の部材が第２の位置に位置するときに、第１の部材と第２の部材の相対位置が高精度に維持される。このため、第１の部材に第２の光学レンズが支持されている場合、第２の部材に支持されている第１の光学レンズとの相対位置が高精度に維持される。
【００１９】
上記光量調整部材は、シャッタ、絞り又はＮＤフィルタであってもよい。
【００２０】
シャッタ、絞り又はＮＤフィルタは、撮影時には光学系の光路内に挿入されて機能する一方、非撮影時には光路内に位置する必要がない。
【００２１】
上述の課題を解決するため、本技術の一形態に係る撮像装置は、レンズ鏡筒と、撮像機構とを具備する。
上記レンズ鏡筒は、第１の部材と、光学系の一部を構成する第１の光学レンズを支持し、第１の当接部を有し、上記光学系の光軸方向において上記第１の部材に接近した第１の位置と、上記光軸方向において上記第１の部材から離間した第２の位置の間で上記光軸方向に移動可能である第２の部材と、開口部を有し、上記第２の部材に上記光軸方向に移動可能に支持され、上記第２の部材が上記第１の位置に位置するときには、上記第１の当接部に当接せず、上記第１の光学レンズの少なくとも一部が上記開口部内に位置する第３の位置に位置し、上記第２の部材が上記第２の位置に位置するときには、上記第１の当接部に当接し、上記第１の光学レンズが上記開口部内に位置しない第４の位置に位置し、上記第４の位置に位置するときに、上記開口部に光量調整部材を挿入する光量調整機構と、上記光量調整機構が上記第４の位置に位置するときに、上記光量調整機構を上記第１の当接部に対して押圧し、上記光量調整機構と上記第１の部材を接続し、上記光量調整機構と上記第１の部材を互いに接近させる方向に付勢する。
上記撮像機構は、上記光学系を通過した光から画像を生成する。
【発明の効果】
【００２２】
以上のように、本技術によれば、光学レンズ群を高精度に位置決めすることが可能でありながら、小型化及び低コスト化が可能なレンズ鏡筒及び当該レンズ鏡筒を備える撮像装置を提供することが可能である。なお、ここに記載された効果は必ずしも限定されるものではなく、本開示中に記載されたいずれかの効果であってもよい。
【図面の簡単な説明】
【００２３】
【図１】本技術の第１の実施形態に係る撮像装置の斜視図である。
【図２】本技術の第１の実施形態に係るレンズ鏡筒の非撮影状態における模式的な断面図である。
【図３】同レンズ鏡筒の撮影状態における模式的な断面図である。
【図４】同レンズ鏡筒の一部構成の非撮影状態における斜視図及び側面図である。
【図５】同レンズ鏡筒の一部構成の撮影状態における斜視図及び側面図である。
【図６】同レンズ鏡筒の一部構成の分解斜視図である。
【図７】同レンズ鏡筒の動作を示す模式図である。
【図８】同レンズ鏡筒の動作を示す模式図である。
【図９】同レンズ鏡筒の動作を示す模式図である。
【図１０】同レンズ鏡筒の動作を示す模式図である。
【図１１】同レンズ鏡筒の動作を示す模式図である。
【図１２】同レンズ鏡筒の一部構成の非撮影状態における斜視図及、側面図及び断面図である。
【図１３】同レンズ鏡筒の一部構成の撮影状態における斜視図及、側面図及び断面図である。
【図１４】本技術の第２の実施形態に係るレンズ鏡筒の非撮影状態における模式的な断面図である。
【図１５】同レンズ鏡筒の撮影状態における模式的な断面図である。
【図１６】同レンズ鏡筒の動作を示す模式図である。
【図１７】同レンズ鏡筒の動作を示す模式図である。
【図１８】同レンズ鏡筒の動作を示す模式図である。
【図１９】同レンズ鏡筒の動作を示す模式図である。
【図２０】同レンズ鏡筒の動作を示す模式図である。
【発明を実施するための形態】
【００２４】
（第１の実施形態）
本技術の第１の実施形態に係るレンズ鏡筒及び撮像装置について説明する。
【００２５】
［撮像装置の構成］
図１は、本実施形態に係る撮像装置１０の斜視図である。図１（Ａ）は非撮影時の撮像装置１０の状態を示し、図１（Ｂ）は撮影時の撮像装置１０の状態を示す。
【００２６】
同図に示すように撮像装置１０は、撮像装置本体１５０とレンズ鏡筒１００を有する。レンズ鏡筒１００は、図１（Ａ）に示すように非撮影時には収縮しており、図１（Ｂ）に示すように撮影時には伸張する。以下、図１（Ａ）に示すレンズ鏡筒１００が収容された状態を非撮影状態とし、図１（Ｂ）に示すレンズ鏡筒１００が伸張した状態を撮影状態とする。
【００２７】
レンズ鏡筒１００は、後述するように光学系を内蔵し、撮影状態においては入射光を撮像装置本体１５０に伝達する。レンズ鏡筒１００の伸縮方向は、光学系の光軸方向に一致する。以下、レンズ鏡筒１００の伸縮方向（光学系の伸縮方向）をＸ方向とし、Ｘ方向に垂直な一方向をＹ方向、Ｘ方向及びＹ方向に垂直な方向をＺ方向とする。レンズ鏡筒１００の構成については後述する。
【００２８】
撮像装置本体１５０は、シャッタボタン１５１、フラッシュライト１５２及び図示しないこの他の構成を有する。また、撮像装置本体１５０は、図示しない撮像機構を内蔵する。撮像機構は、レンズ鏡筒１００に内蔵された光学系を通過した光から画像（静止画又は動画）を生成する。撮像機構は例えば、ＣＭＯＳ（Complementary Metal-Oxide Semiconductor）イメージセンサやＣＣＤ（Charge Coupled Device）イメージセンサ等の撮像素子を含むものとすることができる。また撮像機構は、銀塩フィルム等の感光材料を含むものであってもよい。撮像装置本体１５０には、レンズ鏡筒１００に内蔵された光学系とは別の光学系が内蔵されていてもよい。
【００２９】
［レンズ鏡筒の構成］
レンズ鏡筒１００の構成について説明する。なお、レンズ鏡筒１００は、上記のように撮像装置本体１５０と一体的に構成されているものに限られず、撮像装置本体１５０とは分離することが可能なものであってもよい。この場合、レンズ鏡筒１００は、交換用レンズユニットとして構成される。また、レンズ鏡筒１００は、その内部に撮像機構を内蔵し、即ちレンズ鏡筒型撮影装置として構成されていてもよい。いずれにしてもレンズ鏡筒１００は、非撮影状態では収縮し、撮影状態で伸張するものであればよい。
【００３０】
図２は、非撮影状態におけるレンズ鏡筒１００の模式的な断面図であり、図３は、撮影状態におけるレンズ鏡筒１００の模式的な断面図である。なお、図２及び図３においては、断面図の半分は図示を省略する。
【００３１】
図４は、非撮影状態におけるレンズ鏡筒１００の一部構成を示し、図４（Ａ）は斜視図、図４（Ｂ）は側面図である。図５は、撮影状態におけるレンズ鏡筒１００の一部構成を示し、図５（Ａ）は斜視図、図５（Ｂ）は側面図である。図６は、レンズ鏡筒１００の一部構成の分解斜視図である。
【００３２】
図２及び図３に示すように、レンズ鏡筒１００は、後部鏡筒部材１０１、固定環１０２、カム環１０３、直進環１０４、三群枠１０５、三群レンズ１０６、二群枠１０７、二群レンズ１０８、一群枠１０９、一群レンズ１１０、光量調整機構１１１及び弾性部材１１２を備える。一群レンズ１１０、二群レンズ１０８及び三群レンズ１０６によってレンズ鏡筒１００の光学系が構成される。光学系の光軸方向（Ｘ方向）は、一群レンズ１１０、二群レンズ１０８及び三群レンズ１０６の配列方向に一致する。
【００３３】
後部鏡筒部材１０１は、レンズ鏡筒１００の基部を構成する部材である。後部鏡筒部材１０１は、レンズ鏡筒１００が撮像装置本体１５０に装着される際に、直接又は他の部材を介して撮像装置本体１５０に接続される。即ち、後部鏡筒部材１０１は撮像装置本体１５０に対して相対的に位置が固定される。
【００３４】
固定環１０２は後部鏡筒部材１０１に固定された環状部材であり、上記各構成の移動をガイドする。固定環１０２にはガイド溝１０２ａが形成されている。
【００３５】
カム環１０３は、固定環１０２に回転可能に支持され、図示しない回転動力源によって光軸方向を回転軸方向として回転する。カム環１０３は固定環１０２のガイド溝１０２ａに係合するガイド突起１０３ａ、三群枠１０５のカムフォロア１０５ａが係合するカム溝１０３ｂ、二群枠１０７のカムフォロア１０７ａが係合するカム溝１０３ｃ、一群枠１０９のガイド溝１０９ａに係合するガイド突起１０３ｄを有する。
【００３６】
これにより、カム環１０３の回転によって、カム環１０３、直進環１０４、一群枠１０９、二群枠１０７及び三群枠１０５が互いに光軸方向に移動し、レンズ鏡筒１００が伸縮する（図２及び３参照）。なお、カム環１０３の構成はここに示すものに限られず、少なくとも二群枠１０７を三群枠１０５に対して光軸方向に移動させる構成であればよい。
【００３７】
直進環１０４は、固定環１０２に光軸方向に移動可能に支持され、かつカム環１０３に対する光軸方向の相対位置が固定された環状部材であり、カム環１０３と共に光軸方向に移動する。
【００３８】
三群枠１０５は、固定環１０２に光軸方向に移動可能に支持され、三群レンズ１０６を支持する。三群枠１０５は、カム溝１０３ｂに係合するカムフォロア１０５ａを有し、カム環１０３が回転すると、カム環１０３に対して光軸方向に移動する。また、三群枠１０５は、当接部１０５ｂを有する。当接部１０５ｂは、非撮影状態において光量調整機構１１１が当接し（図２参照）、撮影状態において光量調整機構１１１とは離間する（図３参照）。また三群枠１０５は弾性部材１１２によって光量調整機構１１１と接続されている。
【００３９】
三群レンズ１０６は、三群枠１０５に支持され、三群枠１０５に伴って光軸方向に移動する。三群レンズ１０６は、光学系において何らかの光学的機能を有すればよく、レンズの光学的性質は特に限定されない。また三群レンズ１０６は一枚のレンズに限られず、複数枚のレンズから構成されていてもよい。
【００４０】
二群枠１０７は、三群枠１０５に光軸方向に移動可能に支持され、二群レンズ１０８を支持する。二群枠１０７は、カム溝１０３ｃに係合するカムフォロア１０７ａを有し、カム環１０３が回転すると、カム環１０３に対して光軸方向に移動する。図２に示す非撮影状態における二群枠１０７の三群枠１０５に対する位置を第１の位置とし、図３に示す撮影状態における二群枠１０７の三群枠１０５に対する位置を第２の位置とする。即ち、二群枠１０７は、第１の位置と第２の位置の間で光軸方向に移動する。
【００４１】
また、二群枠１０７は当接部１０７ｂを有する。当接部１０７ｂは非撮影状態において光量調整機構１１１に当接せず（図２参照）、撮影状態において光量調整機構１１１に当接する（図３参照）。当接部１０７ｂは図６に示すように、二群枠１０７の周囲に三つが設けられるものとすることができるが、その数は限定されない。
【００４２】
二群レンズ１０８は、二群枠１０７に支持され、二群枠１０７に伴って光軸方向に移動する。二群レンズ１０８は、光学系において何らかの光学的機能を有すればよく、レンズの光学的性質は特に限定されない。また二群レンズ１０８は一枚のレンズに限られず、複数枚のレンズから構成されていてもよい。
【００４３】
一群枠１０９は、直進環１０４に光軸方向に移動可能に支持され、一群レンズ１１０を支持する。一群枠１０９は、ガイド突起１０３ｄが係合するガイド溝１０９ａを有し、カム環１０３が回転すると、カム環１０３に対して光軸方向に移動する。
【００４４】
一群レンズ１１０は、一群枠１０９に固定され、一群枠１０９に伴って光軸方向に移動する。一群レンズ１１０は、光学系において何らかの光学的機能を有すればよく、レンズの光学的性質は特に限定されない。また一群レンズ１１０は一枚のレンズに限られず、複数枚のレンズから構成されていてもよい。
【００４５】
光量調整機構１１１は、二群枠１０７に光軸方向に移動可能に支持され、弾性部材１１２によって三群枠１０５と接続されている。光量調整機構１１１は、非撮影状態と撮影状態の間で二群枠１０７に対して光軸方向に移動する。図２に示す非撮影状態における光量調整機構１１１の二群枠１０７に対する位置を第３の位置とし、図４に示す撮影状態における光量調整機構１１１の二群枠１０７に対する位置を第４の位置とする。即ち、光量調整機構１１１は、第３の位置と第４の位置の間で光軸方向に移動する。
【００４６】
光量調整機構１１１は、少なくとも二群レンズ１０８の移動経路上に設けられた開口部１１１ａ（図６参照）と、絞り、シャッタやＮＤフィルタ等の光量調整が可能な部材である光量調整部材１１１ｂを有する。光量調整機構１１１が第３の位置に位置するときには、光量調整部材１１１ｂは光量調整機構１１１の内部に収容されており、開口部１１１ａ内には二群レンズ１０８が位置する（図２参照）。なお、開口部１１１ａ内には二群レンズ１０８の一部のみが位置していてもよい。
【００４７】
光量調整機構１１１が第４の位置に位置するときには、開口部１１１ａ内には二群レンズ１０８が位置せず（図３参照）、光量調整部材１１１ｂは開口部１１１ａ内に挿入可能に構成されている。光量調整機構１１１は、第３の位置に位置するときには当接部１０５ｂに当接してその位置が規定され（図２参照）、第４の位置に位置するときには当接部１０７ｂに当接してその位置が規定される（図３参照）。
【００４８】
弾性部材１１２は、三群枠１０５と光量調整機構１１１を接続する。弾性部材１１２は、撮影状態において光量調整機構１１１を三群枠１０５に向けて付勢する。これにより弾性部材１１２は、第４の位置に位置する光量調整機構１１１を三群枠１０５に向けて付勢し、光量調整機構１１１を第４の位置から第３の位置に移動させて当接部１０７ｂに押圧させる（図３参照）。非撮影状態においては、弾性部材１１２は光量調整機構１１１を三群枠１０５に向けて付勢していてもよく、付勢していなくてもよい。弾性部材１１２は必ずしも光軸方向に伸縮するものでなくてもよく、光軸方向に対して斜向する方向に伸縮するものであってもよい。
【００４９】
弾性部材１１２はコイルバネであるものとすることができる。また、弾性部材１１２は撮影状態において光量調整機構１１１を三群枠１０５に向けて付勢するものであればよく、例えばゴム状部材であってもよい。弾性部材１１２は、図６に示すように光量調整機構１１１の周囲に三本が設けられるものとすることができるが、その数は限定されない。
【００５０】
レンズ鏡筒１００は以上のような構成を有する。レンズ鏡筒１００の構成は上記のものに限定されず、追加的あるいは代替的な構成であってもよい。例えばレンズ鏡筒１００は、回転駆動されるカム環１０３によって一群枠１０９、二群枠１０７及び三群枠１０５を光軸方向に移動させるものとしたが、他の駆動機構によってこれらを移動させてもよい。
【００５１】
また、レンズ鏡筒１００の光学系は、一群レンズ１１０、二群レンズ１０８及び三群レンズ１０６の３群のレンズ群によって構成されるものとしたが、より少数あるいはより多数のレンズ群によって構成されてもよい。各構成の材料も特に限定されず、合成樹脂や金属、ガラス等からなるものとすることができる。
【００５２】
［レンズ鏡筒の動作］
レンズ鏡筒１００の動作について説明する。上述のように、レンズ鏡筒１００は光学系の光軸方向（Ｘ方向）に沿って伸縮する。以下、光軸方向のうち、レンズ鏡筒１００が伸張する方向（後部鏡筒部材１０１から離間する方向、各図右方向）を第１方向、レンズ鏡筒１００が収縮する方向（後部鏡筒部材１０１に接近する方向、各図左方向）を第２方向とする。
【００５３】
まず、レンズ鏡筒１００が非撮影状態から撮影状態に伸張する動作について説明する。
【００５４】
非撮影状態において、回転動力源によってカム環１０３が回転駆動されると、ガイド突起１０３ａとガイド溝１０２ａの係合によって、カム環１０３は固定環１０２に対して第１方向に移動する（図３参照）。また、直進環１０４もカム環１０３と共に移動する。同時に、三群枠１０５はカムフォロア１０５ａとカム溝１０３ｂの係合の係合によってカム環１０３に対して所定の位置に移動する。
【００５５】
同時に、カム環１０３の回転に伴い、カム溝１０３ｃとカムフォロア１０７ａの係合によって、二群枠１０７はカム環１０３に対して所定の位置に移動する。カム溝１０３ｂとカム溝１０３ｃの設定により、三群枠１０５と二群枠１０７は光軸方向に離間する。
【００５６】
図７は非撮影状態のレンズ鏡筒１００の一部構成を示す模式図である。上記のように、非撮影状態において二群枠１０７は三群枠１０５に対して第１の位置に位置し、光量調整機構１１１は二群枠１０７に対して第３の位置に位置する。このとき、光量調整機構１１１は弾性部材１１２によって三群枠１０５に対して付勢されていてもよく、付勢されていなくてもよい。光量調整機構１１１は、当接部１０５ｂに当接している。図１２は非撮影状態のレンズ鏡筒の一部構成を示す図であり、図１２（Ａ）は斜視図、図１２（Ｂ）は平面図、図１２（Ｃ）は断面図である。
【００５７】
図８は、カム環１０３の回転開始後のレンズ鏡筒１００の一部構成を示す模式図である。同図に示すように、二群枠１０７は三群枠１０５に対して光軸方向に離間する。ここで、光量調整機構１１１は、二群枠１０７とは固定されておらず、二群枠１０７が移動を開始してもその位置を維持する。
【００５８】
図９は、さらにカム環１０３が回転した状態のレンズ鏡筒１００の一部構成を示す模式図である。同図に示すように、二群枠１０７は三群枠１０５に対して光軸方向にさらに離間する。二群枠１０７の移動量が所定量となると、当接部１０７ｂが光量調整機構１１１に当接する。
【００５９】
図１０はさらにカム環１０３が回転した状態のレンズ鏡筒１００の一部構成を示す模式図である。同図に示すように、二群枠１０７は三群枠１０５に対して光軸方向にさらに離間する。光量調整機構１１１は当接部１０７ｂによって第１方向に押圧され、二群枠１０７と共に第１方向に移動し、当接部１０５ｂから離間する。また、弾性部材１１２は光量調整機構１１１の移動に伴って伸張し、光量調整機構１１１を第２方向に対して付勢する。
【００６０】
図１１はさらにカム環１０３が回転し、撮影状態となったレンズ鏡筒１００の一部構成を示す模式図である。上記のように撮影状態において二群枠１０７は三群枠１０５に対して第２の位置に位置し、光量調整機構１１１は、二群枠１０７に対して第４の位置に位置する。光量調整機構１１１は、弾性部材１１２の付勢作用と当接部１０７ｂによって第３の位置から第４の位置に移動する。
【００６１】
同図に示すように、二群レンズ１０８は光量調整機構１１１に対して光軸方向に離間し、開口部１１１ａ内から脱離する。弾性部材１１２は光量調整機構１１１の移動に伴って伸張し、光量調整機構１１１を第２方向に対して付勢する。図１３は非撮影状態のレンズ鏡筒の一部構成を示す図であり、図１３（Ａ）は斜視図、図１３（Ｂ）は平面図、図１３（Ｃ）は断面図である。
【００６２】
また、カム環１０３の回転に伴い、ガイド突起１０３ｄとガイド溝１０９ａの係合によって、一群枠１０９はカム環１０３に対し所定の位置に移動する。
【００６３】
このように、カム環１０３の回転によってカム環１０３、直進環１０４、三群枠１０５、二群枠１０７、一群枠１０９及び光量調整機構１１１が固定環１０２に対して第１方向に移動し、撮影状態となる。上記のように二群レンズ１０８が開口部１１１ａ内から脱離することにより、図３に示すように光量調整機構１１１は光量調整部材１１１ｂを開口部１１１ａ内に挿入することが可能となる。
【００６４】
例えば、光量調整機構１１１は、遮光羽根を開口部１１１ａ内に挿入して光学系の光路を遮蔽したり、絞り羽根を挿入して絞ったり、ＮＤフィルタを挿入して減光させたりすることができる。
【００６５】
続いて、レンズ鏡筒１００が撮影状態から非撮影状態に収縮する動作について説明する。
【００６６】
図３に示す撮影状態において、回転動力源によってカム環１０３が伸張の場合と逆回転方向に回転駆動されると、ガイド突起１０３ａとガイド溝１０２ａの係合によってカム環１０３は固定環１０２に対して所定位置に移動する（図２参照）。また、直進環１０４もカム環１０３と共に移動する。同時に、三群枠１０５はカムフォロア１０５ａとカム溝１０３ｂの係合によってカム環１０３に対して所定位置に移動する。
【００６７】
同時に、カム環１０３の回転に伴い、カム溝１０３ｃとカムフォロア１０７ａの係合によって、二群枠１０７は第２の位置から、カム環１０３に対して所定位置に移動する。カム環１０３の回転に伴い、三群枠１０５と二群枠１０７は光軸方向に接近する。光量調整機構１１１は、弾性部材１１２によって付勢され、当接部１０７ｂに当接しながら、二群枠１０７と共に第４の位置から移動する（図１０参照）。二群枠１０７の移動量が所定量となると、図９に示すように光量調整機構１１１は当接部１０５ｂに当接する。
【００６８】
さらにカム環１０３が回転すると、図８に示すように、二群枠１０７は三群枠１０５に対して光軸方向にさらに接近する。光量調整機構１１１は当接部１０５ｂに当接しており、その位置が維持されると共に当接部１０７ｂとは離間する。
【００６９】
さらにカム環１０３が回転すると、図７に示すようにレンズ鏡筒１００は非撮影状態となる。二群枠１０７は三群枠１０５に対して光軸方向にさらに接近して第１の位置となり、光量調整機構１１１は二群枠１０７に接近して第３の位置となる。二群レンズ１０８は三群レンズ１０６に接近し、開口部１１１ａ内に収容される。二群レンズ１０８が開口部１１１ａ内に収容されることにより、二群レンズ１０８と三群レンズ１０６の接近は光量調整機構１１１によって阻害されない。
【００７０】
また、カム環１０３の回転に伴い、ガイド突起１０３ｄとガイド溝１０９ａの係合によって、一群枠１０９はカム環１０３に対して所定位置に移動し、即ち、固定環１０２に対しても所定位置に移動する（図２参照）。
【００７１】
このように、カム環１０３の回転によってカム環１０３、直進環１０４、三群枠１０５、二群枠１０７、一群枠１０９及び光量調整機構１１１が固定環１０２に対して第２方向に移動し、非撮影状態となる。
【００７２】
［レンズ鏡筒の作用］
レンズ鏡筒１００は以上のような動作を行う。上記のように三群枠１０５と光量調整機構１１１が弾性部材１１２によって接続されていることにより、光量調整機構１１１は二群枠１０７に接近した第３の位置から、二群枠１０７から離間した第４の位置に移動することが可能となっている。
【００７３】
第４の位置では、二群レンズ１０８が開口部１１１ａ内に位置せず、光量調整機構１１１が開口部１１１ａ内に光量調整部材１１１ｂを挿入することが可能である。第３の位置では、二群レンズ１０８が開口部１１１ａに収容され、二群レンズ１０８と三群レンズ１０６の接近が光量調整機構１１１によって阻害されないため、レンズ鏡筒１００の鏡筒長の短縮が可能となっている。即ち、上記構成により、撮影状態における光量調整部材１１１ｂの光路への挿入と、非撮影状態における鏡筒長の短縮が共に実現されている。
【００７４】
さらに、撮影状態においては弾性部材１１２によって第２方向に付勢された光量調整機構１１１が当接部１０７ｂに当接している。弾性部材１１２による付勢は、当接部１０７ｂを介して二群枠１０７に伝達され、二群枠１０７はカム環１０３に対して第２方向に押圧されている。これにより、撮影状態において、二群枠１０７はカム環１０３との係合によるガタ付きが防止されており、撮影状態における各レンズ群の位置精度が確保されている。
【００７５】
このように、弾性部材１１２は、光量調整機構１１１の二群枠１０７対する位置の移動と、二群枠１０７の位置精度の確保という二つの機能を有している。即ち、それぞれの機能のための弾性部材を別々に設ける必要がなく、レンズ鏡筒１００の小型化や低コスト化が可能である。
【００７６】
なお、本実施形態では、物体側から二群枠１０７、光量調整機構１１１、三群枠１０５の順に並んでいるが、構成的には逆の順番でもよく、物体側から三群枠１０５、光量調整機構１１１、二群枠１０７の順に並んでいてもよい。
【００７７】
また、本実施形態では、二群レンズ１０８は二群枠１０７に固定されているが、光軸に垂直な平面内に移動可能に支持されていてもよい。さらに、本実施形態では、三群レンズ１０６は三群枠１０５に固定されているが、光軸に垂直な平面内に移動可能に支持されていてもよいし、光軸方向に移動可能に支持されていてもよい。
【００７８】
（第２の実施形態）
本技術の第２の実施形態に係るレンズ鏡筒及び撮像装置について説明する。
【００７９】
本実施形態に係るレンズ鏡筒２００は、第１の実施形態と同様に撮像装置本体と共に撮像装置を構成し、非撮影状態において収縮し、撮影状態において伸張する（図１参照）。レンズ鏡筒２００の伸縮方向は、レンズ鏡筒２００に内蔵された光学系の光軸方向に一致する。以下、レンズ鏡筒２００の伸縮方向（光学系の伸縮方向）をＸ方向とし、Ｘ方向に垂直な一方向をＹ方向、Ｘ方向及びＹ方向に垂直な方向をＺ方向とする。
【００８０】
撮像装置本体は、第１の実施形態と同様に、レンズ鏡筒２００に内蔵された光学系を通過した光から画像（静止画又は動画）を生成する撮像機構を内蔵する。撮像装置本体には、レンズ鏡筒に内蔵された光学系とは別の光学系が内蔵されていてもよい。撮像装置は、静止画撮影用の撮像装置に限られず、動画撮影用の撮像装置であってもよい。
【００８１】
［レンズ鏡筒の構成］
本実施形態に係るレンズ鏡筒２００の構成について説明する。なお、レンズ鏡筒２００は、上記のように撮像装置本体と一体的に構成されているものに限られず、撮像装置本体とは分離することが可能なものであってもよい。この場合、レンズ鏡筒２００は、交換用レンズユニットとして構成される。また、レンズ鏡筒２００は、その内部に撮像機構を内蔵し、即ちレンズ鏡筒型撮影装置として構成されていてもよい。いずれにしてもレンズ鏡筒２００は、非撮影状態では収縮し、撮影状態で伸張するものであればよい。
【００８２】
図１４は、非撮影状態におけるレンズ鏡筒２００の模式的な断面図であり、図１５は、撮影状態におけるレンズ鏡筒２００の模式的な断面図である。なお、図１４及び図１５においては、断面図の半分は図示を省略する。なお、レンズ鏡筒２００の斜視図は、弾性部材の接続箇所を除き、第１の実施形態に係るレンズ鏡筒１００と同様である。
【００８３】
図１４及び図１５に示すように、レンズ鏡筒２００は、後部鏡筒部材２０１、固定環２０２、カム環２０３、直進環２０４、三群枠２０５、三群レンズ２０６、二群枠２０７、二群レンズ２０８、一群枠２０９、一群レンズ２１０、光量調整機構２１１及び弾性部材２１２を備える。一群レンズ２１０、二群レンズ２０８及び三群レンズ２０６によってレンズ鏡筒２００の光学系が構成される。光学系の光軸方向（Ｘ方向）は、一群レンズ２１０、二群レンズ２０８及び三群レンズ２０６の配列方向に一致する。
【００８４】
後部鏡筒部材２０１は、レンズ鏡筒２００の基部を構成する部材である。後部鏡筒部材２０１は、レンズ鏡筒２００が撮像装置に装着される際に、直接又は他の部材を介して撮像装置に接続される。即ち、後部鏡筒部材２０１は撮像装置に対して相対的に位置が固定される。後部鏡筒部材２０１には、弾性部材２１２が接続されている。
【００８５】
固定環２０２は後部鏡筒部材２０１に固定された環状部材であり、上記各構成の移動をガイドする。固定環２０２にはガイド溝２０２ａが形成されている。
【００８６】
カム環２０３は、固定環２０２に回転可能に支持され、図示しない回転動力源によって光軸方向を回転軸方向として回転する。カム環２０３は固定環２０２のガイド溝２０２ａに係合するガイド突起２０３ａ、三群枠２０５のカムフォロア２０５ａが係合するカム溝２０３ｂ、二群枠２０７のカムフォロア２０７ａが係合するカム溝２０３ｃ、一群枠２０９のガイド溝２０９ａに係合するガイド突起２０３ｄを有する。
【００８７】
これにより、カム環２０３の回転によって、カム環２０３、直進環２０４、一群枠２０９、二群枠２０７及び三群枠２０５が互いに光軸方向に移動し、レンズ鏡筒２００が伸縮する（図１４及び図１５参照）。なお、カム環２０３の構成はここに示すものに限られず、少なくとも二群枠２０７を三群枠２０５及び後部鏡筒部材２０１に対して光軸方向に移動させる構成であればよい。
【００８８】
直進環２０４は、固定環２０２に光軸方向に移動可能に支持され、かつカム環２０３に対する光軸方向の相対位置が固定された環状部材であり、カム環２０３と共に光軸方向に移動する。
【００８９】
三群枠２０５は、固定環２０２に光軸方向に移動可能に支持され、三群レンズ２０６を支持する。三群枠２０５は、カム溝２０３ｂに係合するカムフォロア２０５ａを有し、カム環２０３が回転すると、カム環２０３に対して光軸方向に移動する。また、三群枠２０５は、当接部２０５ｂを有する。当接部２０５ｂは、非撮影状態において光量調整機構２１１が当接し（図１４参照）、撮影状態において光量調整機構２１１とは離間する（図１５参照）。
【００９０】
三群レンズ２０６は、三群枠２０５に支持され、三群枠２０５に伴って光軸方向に移動する。三群レンズ２０６は、光学系において何らかの光学的機能を有すればよく、レンズの光学的性質は特に限定されない。また三群レンズ２０６は一枚のレンズに限られず、複数枚のレンズから構成されていてもよい。
【００９１】
二群枠２０７は、三群枠２０５に光軸方向に移動可能に支持され、二群レンズ２０８を支持する。二群枠２０７は、カム溝２０３ｃに係合するカムフォロア２０７ａを有し、カム環２０３が回転すると、カム環２０３に対して光軸方向に移動する。図１４に示す非撮影状態における二群枠２０７の三群枠２０５に対する位置を第１の位置とし、図１５に示す撮影状態における二群枠２０７の三群枠２０５に対する位置を第２の位置とする。即ち、二群枠２０７は、第１の位置と第２の位置の間で光軸方向に移動する。
【００９２】
また、二群枠２０７は当接部２０７ｂを有する。当接部２０７ｂは非撮影状態において光量調整機構２１１に当接せず（図１４参照）、撮影状態において光量調整機構２１１に当接する（図１５参照）。当接部２０７ｂは第１の実施形態と同様に二群枠２０７の周囲に三つが設けられるものとすることができるが、その数は限定されない。
【００９３】
二群レンズ２０８は、二群枠２０７に支持され、二群枠２０７に伴って光軸方向に移動する。二群レンズ２０８は、光学系において何らかの光学的機能を有すればよく、レンズの光学的性質は特に限定されない。また二群レンズ２０８は一枚のレンズに限られず、複数枚のレンズから構成されていてもよい。
【００９４】
一群枠２０９は、直進環２０４に光軸方向に移動可能に支持され、一群レンズ２１０を支持する。一群枠２０９は、ガイド突起２０３ｄが係合するガイド溝２０９ａを有し、カム環２０３が回転すると、カム環２０３に対して光軸方向に移動する。
【００９５】
一群レンズ２１０は、一群枠２０９に固定され、一群枠２０９に伴って光軸方向に移動する。一群レンズ２１０は、光学系において何らかの光学的機能を有すればよく、レンズの光学的性質は特に限定されない。また一群レンズ２１０は一枚のレンズに限られず、複数枚のレンズから構成されていてもよい。
【００９６】
光量調整機構２１１は、二群枠２０７に光軸方向に移動可能に支持され、弾性部材２１２によって後部鏡筒部材２０１と接続されている。光量調整機構２１１は、非撮影状態と撮影状態の間で二群枠２０７に対して光軸方向に移動する。図１４に示す非撮影状態における光量調整機構２１１の二群枠２０７に対する位置を第３の位置とし、図１５に示す撮影状態における光量調整機構２１１の二群枠２０７に対する位置を第４の位置とする。即ち、光量調整機構２１１は、第３の位置と第４の位置の間で光軸方向に移動する。
【００９７】
光量調整機構２１１は、少なくとも二群レンズ２０８の移動経路上に設けられた開口部２１１ａと、絞り、シャッタやＮＤフィルタ等の光量調整が可能な部材である光量調整部材２１１ｂを有する。光量調整機構２１１が第３の位置に位置するときには、光量調整部材２１１ｂは光量調整機構２１１の内部に収容されており、開口部２１１ａ内には二群レンズ２０８が位置する（図１４参照）。なお、開口部２１１ａ内には二群レンズ２０８の一部のみが位置していてもよい。
【００９８】
光量調整機構２１１が第４の位置に位置するときには、開口部２１１ａ内には二群レンズ２０８が位置せず（図１５参照）、光量調整部材２１１ｂは開口部２１１ａ内に挿入可能に構成されている。光量調整機構２１１は、第３の位置に位置するときには当接部２０５ｂに当接してその位置が規定され（図１４参照）、第４の位置に位置するときには当接部２０７ｂに当接してその位置が規定される（図１５参照）。
【００９９】
弾性部材２１２は、後部鏡筒部材２０１と光量調整機構２１１を接続する。弾性部材２１２は、撮影状態において光量調整機構２１１を後部鏡筒部材２０１に向けて付勢する。これにより弾性部材２１２は、第４の位置に位置する光量調整機構２１１を後部鏡筒部材２０１に向けて付勢し、光量調整機構２１１を第４の位置から第３の位置に移動させて当接部２０７ｂに押圧させる（図１５参照）。非撮影状態においては、弾性部材２１２は光量調整機構２１１を後部鏡筒部材２０１に向けて付勢していてもよく、付勢していなくてもよい。弾性部材２１２は必ずしも光軸方向に伸縮するものでなくてもよく、光軸方向に対して斜向する方向に伸縮するものであってもよい。
【０１００】
弾性部材２１２はコイルバネであるものとすることができる。また、弾性部材２１２は撮影状態において光量調整機構２１１を後部鏡筒部材２０１に向けて付勢するものであればよく、例えばゴム状部材であってもよい。弾性部材２１２は、第１の実施形態と同様に光量調整機構２１１の周囲に三本が設けられるものとすることができるが、その数は限定されない。
【０１０１】
レンズ鏡筒２００は以上のような構成を有する。レンズ鏡筒２００の構成は上記のものに限定されず、追加的あるいは代替的な構成であってもよい。例えばレンズ鏡筒２００は、回転駆動されるカム環２０３によって一群枠２０９、二群枠２０７及び三群枠２０５を光軸方向に移動させるものとしたが、他の駆動機構によってこれらを移動させてもよい。
【０１０２】
また、レンズ鏡筒２００の光学系は、一群レンズ２１０、二群レンズ２０８及び三群レンズ２０６の３群のレンズ群によって構成されるものとしたが、より少数あるいはより多数のレンズ群によって構成されてもよい。各構成の材料も特に限定されず、合成樹脂や金属、ガラス等からなるものとすることができる。
【０１０３】
［レンズ鏡筒の動作］
レンズ鏡筒２００の動作について説明する。上述のように、レンズ鏡筒２００は光学系の光軸方向（Ｘ方向）に沿って伸縮する。以下、光軸方向のうち、レンズ鏡筒２００が伸張する方向（後部鏡筒部材２０１から離間する方向、各図右方向）を第１方向、レンズ鏡筒２００が収縮する方向（後部鏡筒部材２０１に接近する方向、各図左方向）を第２方向とする。
【０１０４】
まず、レンズ鏡筒２００が非撮影状態から撮影状態に伸張する動作について説明する。
【０１０５】
非撮影状態において、回転動力源によってカム環２０３が回転駆動されると、ガイド突起２０３ａとガイド溝２０２ａの係合によってカム環２０３は固定環２０２に対して第１方向に移動する（図１５参照）。また、直進環２０４もカム環２０３と共に移動する。同時に、三群枠２０５はカムフォロア２０５ａとカム溝２０３ｂの係合によってカム環２０３に対して所定の位置に移動する。
【０１０６】
同時に、カム環２０３の回転に伴い、カム溝２０３ｃとカムフォロア２０７ａの係合によって、二群枠２０７はカム環２０３に対して所定の位置に移動する。カム溝２０３ｂとカム溝２０３ｃの設定により、三群枠２０５と二群枠２０７は光軸方向に離間する。
【０１０７】
図１６は非撮影状態のレンズ鏡筒２００の一部構成を示す模式図である。上記のように、非撮影状態において二群枠２０７は三群枠２０５に対して第１の位置に位置し、光量調整機構２１１は二群枠２０７に対して第３の位置に位置する。このとき、光量調整機構２１１は弾性部材２１２によって後部鏡筒部材２０１に対して付勢されていてもよく、付勢されていなくてもよい。光量調整機構２１１は、当接部２０５ｂに当接している。
【０１０８】
図１７は、カム環２０３の回転開始後のレンズ鏡筒２００の一部構成を示す模式図である。同図に示すように、二群枠２０７は三群枠２０５に対して光軸方向に離間する。ここで、光量調整機構２１１は、二群枠２０７とは固定されておらず、二群枠２０７が移動を開始してもその位置を維持する。
【０１０９】
図１８は、さらにカム環２０３が回転した状態のレンズ鏡筒２００の一部構成を示す模式図である。同図に示すように、二群枠２０７は三群枠２０５に対して光軸方向にさらに離間する。二群枠２０７の移動量が所定量となると、当接部２０７ｂが光量調整機構２１１に当接する。
【０１１０】
図１９はさらにカム環２０３が回転した状態のレンズ鏡筒２００の一部構成を示す模式図である。同図に示すように、二群枠２０７は三群枠２０５に対して光軸方向にさらに離間する。光量調整機構２１１は当接部２０７ｂによって第１方向に押圧され、二群枠２０７と共に第１方向に移動し、当接部２０５ｂから離間する。また、弾性部材２１２は光量調整機構２１１の移動に伴って伸張し、光量調整機構２１１を第２方向に対して付勢する。
【０１１１】
図２０はさらにカム環２０３が回転し、撮影状態となったレンズ鏡筒２００の一部構成を示す模式図である。上記のように撮影状態において二群枠２０７は三群枠２０５に対して第２の位置に位置し、光量調整機構２１１は二群枠２０７に対して第４の位置に位置する。光量調整機構２１１は、弾性部材２１２の付勢作用と当接部２０７ｂによって第３の位置から第４の位置に移動する。
【０１１２】
同図に示すように、二群レンズ２０８は光量調整機構２１１に対して光軸方向に離間し、開口部２１１ａ内から脱離する。弾性部材２１２は光量調整機構２１１の移動に伴って伸張し、光量調整機構２１１を第２方向に対して付勢する。
【０１１３】
また、カム環２０３の回転に伴い、ガイド突起２０３ｄとガイド溝２０９ａの係合によって、一群枠２０９はカム環２０３に対して所定の位置に移動する。
【０１１４】
このように、カム環２０３の回転によってカム環２０３、直進環２０４、三群枠２０５、二群枠２０７、一群枠２０９及び光量調整機構２１１が固定環２０２に対して第１方向に移動し、撮影状態となる。上記のように二群レンズ２０８が開口部２１１ａ内から脱離することにより、図１４に示すように光量調整機構２１１は光量調整部材２１１ｂを開口部２１１ａ内に挿入することが可能となる。
【０１１５】
例えば、光量調整機構２１１は、遮光羽根を開口部２１１ａ内に挿入して光学系の光路を遮蔽したり、絞り羽根を挿入して絞ったり、ＮＤフィルタを挿入して減光させたりすることができる。
【０１１６】
続いて、レンズ鏡筒２００が撮影状態から非撮影状態に収縮する動作について説明する。
【０１１７】
図１５に示す撮影状態において、回転動力源によってカム環２０３が伸張の場合と逆回転方向に回転駆動されると、ガイド突起２０３ａとガイド溝２０２ａの係合によってカム環２０３は固定環２０２に対して所定位置に移動する（図１４参照）。また、直進環２０４もカム環２０３と共に移動する。同時に、三群枠２０５はカムフォロア２０５ａとカム溝２０３ｂの係合の係合によってカム環２０３に対して第１方向に移動する。なお、カム環２０３の固定環２０２に対する第２方向への移動量は、三群枠２０５のカム環２０３に対する第１方向への移動量より大きいため、三群枠２０５は固定環２０２に対しては所定位置に移動する。
【０１１８】
同時に、カム環２０３の回転に伴い、カム溝２０３ｃとカムフォロア２０７ａの係合によって、二群枠２０７は第２の位置から、カム環２０３に対して所定位置に移動し、図１９に示すように三群枠２０５に接近する。光量調整機構２１１は、弾性部材２１２によって付勢され、当接部２０７ｂに当接しながら、二群枠２０７と共に第４の位置から移動する（図１９参照）。二群枠２０７の移動量が所定量となると、図１８に示すように光量調整機構２１１は当接部２０５ｂに当接する。
【０１１９】
さらにカム環２０３が回転すると、図１７に示すように、二群枠２０７は三群枠２０５に対して光軸方向にさらに接近する。光量調整機構２１１は当接部２０５ｂに当接しており、その位置が維持されると共に当接部２０７ｂとは離間する。
【０１２０】
さらにカム環２０３が回転すると、図１６に示すようにレンズ鏡筒２００は非撮影状態となる。二群枠２０７は、三群枠２０５に対して光軸方向にさらに接近して第１の位置となり、光量調整機構２１１は二群枠２０７に接近して第３の位置となる。光量調整機構２１１は、弾性部材２１２によって第４の位置から第３の位置に移動する。二群レンズ２０８は三群レンズ２０６に接近し、開口部２１１ａ内に収容される。二群レンズ２０８が開口部２１１ａ内に収容されることにより、二群レンズ２０８と三群レンズ２０６の接近は光量調整機構２１１によって阻害されない。
【０１２１】
また、カム環２０３の回転に伴い、ガイド突起２０３ｄとガイド溝２０９ａの係合によって、一群枠２０９はカム環２０３に対して所定位置に移動し、即ち、固定環２０２に対して所定位置に移動する（図１４参照）。
【０１２２】
このように、カム環２０３の回転によってカム環２０３、直進環２０４、三群枠２０５、二群枠２０７、一群枠２０９及び光量調整機構２１１が固定環２０２に対して第２方向に移動し、非撮影状態となる。
【０１２３】
［レンズ鏡筒の作用］
レンズ鏡筒２００は以上のような動作を行う。上記のように後部鏡筒部材２０１と光量調整機構２１１が弾性部材２１２によって接続されていることにより、光量調整機構２１１は二群枠２０７に接近した第３の位置から、二群枠２０７から離間した第４の位置に移動することが可能となっている。
【０１２４】
第４の位置では、二群レンズ２０８が開口部２１１ａ内に位置せず、光量調整機構２１１が開口部２１１ａ内に光量調整部材２１１ｂを挿入することが可能である。第３の位置では、二群レンズ２０８が開口部２１１ａに収容され、二群レンズ２０８と三群レンズ２０６の接近が光量調整機構２１１によって阻害されないため、レンズ鏡筒２００の鏡筒長の短縮が可能となっている。即ち、上記構成により、撮影状態における光量調整部材２１１ｂの光路への挿入と、非撮影状態における鏡筒長の短縮が共に実現されている。
【０１２５】
さらに、撮影状態においては弾性部材２１２によって第２方向に付勢された光量調整機構２１１が当接部２０７ｂに当接している。弾性部材２１２による付勢は、当接部２０７ｂを介して二群枠２０７に伝達され、二群枠２０７はカム環２０３に対して第２方向に押圧されている。これにより、撮影状態において、二群枠２０７はカム環２０３との係合によるガタ付きが防止されており、撮影状態における各レンズ群の位置精度が確保されている。
【０１２６】
このように、弾性部材２１２は、光量調整機構２１１の二群枠２０７に対する位置の移動と、二群枠２０７の位置精度の確保という二つの機能を有している。即ち、それぞれの機能のための弾性部材を別々に設ける必要がなく、レンズ鏡筒２００の小型化や低コスト化が可能である。
【０１２７】
なお、本技術は以下のような構成もとることができる。
【０１２８】
（１）
第１の部材と、
光学系の一部を構成する第１の光学レンズを支持し、第１の当接部を有し、上記光学系の光軸方向において上記第１の部材に接近した第１の位置と、上記光軸方向において上記第１の部材から離間した第２の位置の間で上記光軸方向に移動可能である第２の部材と、
開口部を有し、上記第２の部材に上記光軸方向に移動可能に支持され、上記第２の部材が上記第１の位置に位置するときには、上記第１の当接部に当接せず、上記第１の光学レンズの少なくとも一部が上記開口部内に位置する第３の位置に位置し、上記第２の部材が上記第２の位置に位置するときには、上記第１の当接部に当接し、上記第１の光学レンズが上記開口部内に位置しない第４の位置に位置し、上記第４の位置に位置するときに、上記開口部に光量調整部材を挿入する光量調整機構と、
上記光量調整機構が上記第４の位置に位置するときに、上記光量調整機構を上記第１の当接部に対して押圧し、上記光量調整機構と上記第１の部材を接続し、上記光量調整機構と上記第１の部材を互いに接近させる方向に付勢する弾性部材と
を具備するレンズ鏡筒。
【０１２９】
（２）
上記（１）に記載のレンズ鏡筒であって、
上記第２の部材が上記第１の位置に位置するときに上記光軸方向において上記第２の部材に接近し、上記第２の部材が上記第２の位置に位置するときに上記光軸方向において上記第２の部材から離間し、上記第１の部材と上記第２の部材の間に位置する３の部材
をさらに具備するレンズ鏡筒。
【０１３０】
（３）
上記（１）又は（２）に記載のレンズ鏡筒であって、
第１のカム溝と第２のカム溝とを有するカム環
をさらに具備し、
上記第１の部材は上記第１のカム溝に係合する第１のカムフォロアを有し、
上記第２の部材は上記第２のカム溝に係合する第２のカムフォロアを有し、
上記カム環は、上記光軸方向を回転軸方向として回転し、上記第１の部材と上記第２の部材を上記光軸方向に相対移動させる
レンズ鏡筒。
【０１３１】
（４）
上記（１）から（３）のうちいずれか一つに記載のレンズ鏡筒であって、
上記第１の部材は、第２の当接部を有し、
上記光量調整機構は、上記第３の位置に位置するときには上記第２の当接部に当接し、上記第４の位置に位置するときには上記第２の当接部に当接しない
レンズ鏡筒。
【０１３２】
（５）
上記（１）から（４）のうちいずれか一つに記載のレンズ鏡筒であって、
上記第１の部材は、上記光学系の一部を構成する第２の光学レンズを支持する
レンズ鏡筒。
【０１３３】
（６）
上記（１）から（５）のうちいずれか一つに記載のレンズ鏡筒であって、
上記光量調整部材は、シャッタ、絞り又はＮＤフィルタである
レンズ鏡筒。
【０１３４】
（７）
第１の部材と、光学系の一部を構成する第１の光学レンズを支持し、第１の当接部を有し、上記光学系の光軸方向において上記第１の部材に接近した第１の位置と、上記光軸方向において上記第１の部材から離間した第２の位置の間で上記光軸方向に移動可能である第２の部材と、開口部を有し、上記第２の部材に上記光軸方向に移動可能に支持され、上記第２の部材が上記第１の位置に位置するときには、上記第１の当接部に当接せず、上記第１の光学レンズが上記開口部内に位置する第３の位置に位置し、上記第２の部材が上記第２の位置に位置するときには、上記第１の当接部に当接し、上記第１の光学レンズの少なくとも一部が上記開口部内に位置しない第４の位置に位置し、上記第４の位置に位置するときに、上記開口部に光量調整部材を挿入する光量調整機構と、上記光量調整機構が上記第４の位置に位置するときに、上記光量調整機構を上記第１の当接部に対して押圧し、上記光量調整機構と上記第１の部材を接続し、上記光量調整機構と上記第１の部材を互いに接近させる方向に付勢する弾性部材とを備えるレンズ鏡筒と、
上記光学系を通過した光から画像を生成する撮像機構と
を具備する撮像装置。
【符号の説明】
【０１３５】
１０…撮像装置
１００、２００…レンズ鏡筒
１０１、２０１…後部鏡筒部材
１０２、２０２…固定環
１０３、２０３…カム環
１０４、２０４…直進環
１０５、２０５…三群枠
１０６、２０６…三群レンズ
１０７、２０７…二群枠
１０８、２０８…二群レンズ
１０９、２０９…一群枠
１１０、２１０…一群レンズ
１１１、２１１…光量調整機構
１１２、２１２…弾性部材
１５０…撮像装置本体
【図１】
2015232584.tif 000003
【図２】
2015232584.tif 000004
【図３】
2015232584.tif 000005
【図７】
2015232584.tif 000006
【図８】
2015232584.tif 000007
【図９】
2015232584.tif 000008
【図１０】
2015232584.tif 000009
【図１１】
2015232584.tif 000010
【図１４】
2015232584.tif 000011
【図１５】
2015232584.tif 000012
【図１６】
2015232584.tif 000013
【図１７】
2015232584.tif 000014
【図１８】
2015232584.tif 000015
【図１９】
2015232584.tif 000016
【図２０】
2015232584.tif 000017
【図４】
2015232584.tif 000018
【図５】
2015232584.tif 000019
【図６】
2015232584.tif 000020
【図１２】
2015232584.tif 000021
【図１３】
2015232584.tif 000022